(57)【特許請求の範囲】
【請求項１】
付箋基材シートと前記付箋基材シートの一方面に位置された粘着剤層と前記付箋基材シートと重ね合わされて前記粘着剤層を剥離可能に被覆する剥離シートとが積層され一体のシート状とされ、
前記付箋基材シートに切り込み線で囲まれる付箋部を有し、
その付箋部の一方端側が前記粘着剤層による粘着部とされ、他方端側が前記粘着剤層が設けられていないか又は糊殺しされて非粘着部とされている、付箋シートであって、
前記付箋部は非粘着部にかかる部分の一部に切り込み線が切り込まれていない０．１〜１．０ｍｍのアンカット部を有し、
前記切り込み線は、前記アンカット部から粘着部と非粘着部との境界までの長さの長い２０〜５０ｍｍの第１切り込み部と、それよりも長さの短い５〜２５ｍｍの第２切り込み部とを有していることを特徴とする付箋シート。
【請求項２】
付箋基材シートと前記付箋基材シートの一方面に位置された粘着剤層と前記付箋基材シートと重ね合わされて前記粘着剤層を被覆する剥離シートとが積層され一体のシート状とされ、前記付箋基材シートに切り込み線で囲まれる付箋部を有し、
その付箋部の一方端側が前記粘着剤層による粘着部とされ、他方端側が前記粘着剤層が
設けられていないか又は糊殺しされて非粘着部とされている、付箋シートであって、
前記付箋部は非粘着部にかかる部分の３箇所以上に、切り込み線が切り込まれていない０．１〜１．０ｍｍのアンカット部を有し、
それらのアンカット部のうち非粘着部との境界から遠い位置側から３つのアンカット部の間にある二つの切り込み線の長さが異なっていて、前記切り込み線が、その長さの長い２０〜５０ｍｍの第１切り込み部と、それよりも長さの短い５〜２５ｍｍの第２切り込み部とを有していることを特徴とする付箋シート。
【請求項３】
付箋基材シートと前記付箋基材シートの一方面に位置された粘着剤層と前記付箋基材シートと
重ね合わされて前記粘着剤層を被覆する剥離シートとが積層され一体のシート状とされ、
前記付箋基材に切り込み線で囲まれる付箋部を有し、
その付箋部の一方端側が前記粘着剤層による粘着部とされ、他方端側が前記粘着剤層が設けられていないか又は糊殺しされて非粘着部とされている、付箋シートであって、
前記付箋部は非粘着部にかかる部分の２箇所に、切り込み線が切り込まれていない０．１〜１．０ｍｍのアンカット部を有し、
前記切り込み線は、各アンカット部間に位置する第１切り込み部と各アンカット部から粘着部と非粘着部との境界までの第２切り込み部及び第３切り込み部とを有し、
前記第２切り込み部の長さが第３切り込み部よりも長く、かつ、第１切り込み部と第２切り込み部とが同じ長さか又は第１切り込み部が第２切り込み部よりも長い、ことを特徴とする付箋シート。
【請求項４】
切り込み線で囲まれる付箋部の平面視形状が、角丸四角形又は四角形であり、非粘着部にかかる部分に前記角丸四角形又は四角形の二つの角部が位置し、かつその二つの角部が前記第１切り込み部と前記第２切り込み部とにそれぞれ位置している請求項１〜３の何れか１項に記載の付箋シート。
【請求項５】
切り込み線で囲まれる付箋部の平面視形状が、角丸四角形又は四角形であり、非粘着部にかかる部分に前記角丸四角形又は四角形の二つの角部が位置し、かつその二つの角部がともに前記第１切り込み部に位置している請求項３記載の付箋シート。
【請求項６】
第１切り込み部と第２切り込み部との長さの比が、７０：３０〜５７：４３である請求項１〜５の何れか１項に記載の付箋シート。
【請求項７】
付箋部の非粘着部にかかる部分のＪＩＳ  Ｐ  ８１４３に基づく剛度が１００〜６００ｃｍ3／１００である請求項１〜６の何れか１項に記載の付箋シート。
【請求項８】
複数の付箋部を有し、各付箋部が離間しているとともに、各付箋部の粘着部側と非粘着部側との位置関係と、第１切り込み部と第２切り込み部の位置関係が、平面視で紙面に対してすべて同じ方向となるように揃って並んでいる請求項１〜７の何れか１項に記載の付箋シート。
【請求項９】
複数の付箋部を有し、各付箋部の粘着部側と非粘着部側との位置関係が平面視で紙面に対してすべて同じ方向となっており、かつ、隣接する付箋部同士で第１切り込み部の一部、第２切り込み部の一部が共有されるようにして、揃って並んでいる請求項１〜７の何れか１項に記載の付箋シート。
【請求項１０】
請求項１〜９記載の何れか１項に記載の付箋シートが添付されている付箋シートを添付されていることを特徴とする付箋シートが添付された冊子。
【請求項１１】
請求項８記載に記載の付箋シートが添付されている付箋シートを添付されている冊子であって、
各付箋部の非粘着部側が冊子の上下方向の何れかの側に位置しかつ第２切り込み部がある側が冊子の綴じ込み側に位置するようにして、付箋シートが冊子に綴じ込まれていることを特徴とする付箋シートが添付された冊子。
【発明の詳細な説明】
【技術分野】
【０００１】
本発明は、付箋シート及び付箋シートが添付された冊子に関する。
【背景技術】
【０００２】
雑誌、商品カタログ、通信販売用カタログ等の冊子においては、文章の読み途中を把握するため、或いは商品カタログ等の掲載商品の購入候補に目印を付けるべく付箋が用いられる。
【０００３】
かかる付箋としては、一端に粘着剤が設けられた矩形紙片を複数枚重畳させて一体の付箋体されており、使用時に一枚一枚引き剥がして使用するものがよく知られる。
【０００４】
しかし、この種の付箋体は、付箋体と冊子とが別体であるため、冊子の読んでいる際に手元に付箋体がない場合があり利便性に劣るところがあった。
【０００５】
そこで、かかる利便性を改善すべく、一方面に粘着剤層を有する付箋基材と当該粘着剤層を被覆する剥離シートとが積層一体化されているとともに、前記付箋基材にハーフスリット等の切り込み線で囲まれる領域を複数設け、その領域の一部に非粘着部を設けることとして、付箋を平面的に複数配列した形態としたものが考え出されている（下記、特許文献１）。
【０００６】
この付箋シートは、シート状であるため、冊子の頁間に挟んでおいたり、より好ましくは冊子の任意の一頁としたりすることで、冊子と一体化して常に冊子とともにすることができる。
【０００７】
また、シート状であることから各付箋に模様や情報を設ける際には、シートの一方面に一回の印刷を行なうことで対応でき、さらに、一方面への切り込み線の形成のみで複数の付箋を形成することができるため、製造性の観点でも上記付箋体のものより優れるところがある。
【０００８】
しかし、従来のこの種の付箋シートでは、付箋が剥離シートからめくれ難いように切り込み線の一部にいわゆるアンカット部をもうけていた。このため、剥離シートから付箋を剥離する操作がし難く、剥離操作時に特に上記アンカット部に不要な力が加わって、付箋自体が破れて損傷することがあった。
【先行技術文献】
【特許文献】
【０００９】
【特許文献１】特許第３６６９１９０号公報
【発明の概要】
【発明が解決しようとする課題】
【００１０】
そこで、本発明の主たる課題は、付箋シートにおいて、付箋の意図しない剥離シートからの剥離を防止しつつ意図した剥離操作をし易くするとともに、剥離操作時における付箋の損傷を防止することにあり、特に、冊子の任意の頁として当該冊子と一体化したものとしたときにおける、付箋の剥離シートからの意図しない剥離を防止しつつ付箋の剥離の剥離操作をし易くするとともに、剥離操作時における付箋の損傷を防止することにある。
【課題を解決するための手段】
【００１１】
上記課題を解決した本発明とその効果は次記のとおりである。
＜請求項１記載の発明＞
付箋基材シートと前記付箋基材シートの一方面に位置された粘着剤層と前記付箋基材シートと重ね合わされて前記粘着剤層を剥離可能に被覆する剥離シートとが積層され一体のシート状とされ、
前記付箋基材シートに切り込み線で囲まれる付箋部を有し、
その付箋部の一方端側が前記粘着剤層による粘着部とされ、他方端側が前記粘着剤層が設けられていないか又は糊殺しされて非粘着部とされている、付箋シートであって、
前記付箋部は非粘着部にかかる部分の一部に切り込み線が切り込まれていない０．１〜１．０ｍｍのアンカット部を有し、
前記切り込み線は、前記アンカット部から粘着部と非粘着部との境界までの長さの長い２０〜５０ｍｍの第１切り込み部と、それよりも長さの短い５〜２５ｍｍの第２切り込み部とを有していることを特徴とする付箋シート。
【００１２】
＜請求項２記載の発明＞
付箋基材シートと前記付箋基材シートの一方面に位置された粘着剤層と前記付箋基材シートと重ね合わされて前記粘着剤層を被覆する剥離シートとが積層され一体のシート状とされ、前記付箋基材シートに切り込み線で囲まれる付箋部を有し、
その付箋部の一方端側が前記粘着剤層による粘着部とされ、他方端側が前記粘着剤層が
設けられていないか又は糊殺しされて非粘着部とされている、付箋シートであって、
前記付箋部は非粘着部にかかる部分の３箇所以上に、切り込み線が切り込まれていない０．１〜１．０ｍｍのアンカット部を有し、
それらのアンカット部のうち非粘着部との境界から遠い位置側から３つのアンカット部の間にある二つの切り込み線の長さが異なっていて、前記切り込み線が、その長さの長い２０〜５０ｍｍの第１切り込み部と、それよりも長さの短い５〜２５ｍｍの第２切り込み部とを有していることを特徴とする付箋シート。
【００１３】
＜請求項３記載の発明＞
付箋基材シートと前記付箋基材シートの一方面に位置された粘着剤層と前記付箋基材シートと
重ね合わされて前記粘着剤層を被覆する剥離シートとが積層され一体のシート状とされ、
前記付箋基材に切り込み線で囲まれる付箋部を有し、
その付箋部の一方端側が前記粘着剤層による粘着部とされ、他方端側が前記粘着剤層が設けられていないか又は糊殺しされて非粘着部とされている、付箋シートであって、
前記付箋部は非粘着部にかかる部分の２箇所に、切り込み線が切り込まれていない０．１〜１．０ｍｍのアンカット部を有し、
前記切り込み線は、各アンカット部間に位置する第１切り込み部と各アンカット部から粘着部と非粘着部との境界までの第２切り込み部及び第３切り込み部とを有し、
前記第２切り込み部の長さが第３切り込み部よりも長く、かつ、第１切り込み部と第２切り込み部とが同じ長さか又は第１切り込み部が第２切り込み部よりも長い、ことを特徴とする付箋シート。
【００１４】
＜請求項４記載の発明＞
切り込み線で囲まれる付箋部の平面視形状が、角丸四角形又は四角形であり、非粘着部にかかる部分に前記角丸四角形又は四角形の二つの角部が位置し、かつその二つの角部が前記第１切り込み部と前記第２切り込み部とにそれぞれ位置している請求項１〜３の何れか１項に記載の付箋シート。
【００１５】
＜請求項５記載の発明＞
切り込み線で囲まれる付箋部の平面視形状が、角丸四角形又は四角形であり、非粘着部にかかる部分に前記角丸四角形又は四角形の二つの角部が位置し、かつその二つの角部がともに前記第１切り込み部に位置している請求項３記載の付箋シート。
【００１６】
＜請求項６記載の発明＞
第１切り込み部と第２切り込み部との長さの比が、７０：３０〜５７：４３である請求項１〜５の何れか１項に記載の付箋シート。
【００１７】
＜請求項７記載の発明＞
付箋部の非粘着部にかかる部分のＪＩＳ  Ｐ  ８１４３に基づく剛度が１００〜６００ｃｍ3／１００である請求項１〜６の何れか１項に記載の付箋シート。
【００１８】
＜請求項８記載の発明＞
複数の付箋部を有し、各付箋部が離間しているとともに、各付箋部の粘着部側と非粘着部側との位置関係と、第１切り込み部と第２切り込み部の位置関係が、平面視で紙面に対してすべて同じ方向となるように揃って並んでいる請求項１〜７の何れか１項に記載の付箋シート。
【００１９】
＜請求項９記載の発明＞
複数の付箋部を有し、各付箋部の粘着部側と非粘着部側との位置関係が平面視で紙面に対してすべて同じ方向となっており、かつ、隣接する付箋部同士で第１切り込み部の一部、第２切り込み部の一部が共有されるようにして、揃って並んでいる請求項１〜７の何れか１項に記載の付箋シート。
【００２０】
＜請求項１０記載の発明＞
請求項１〜９記載の何れか１項に記載の付箋シートが添付されている付箋シートを添付されていることを特徴とする付箋シートが添付された冊子。
【００２１】
＜請求項１１記載の発明＞
請求項９記載に記載の付箋シートが添付されている付箋シートを添付されている冊子であって、
各付箋部の非粘着部側が冊子の上下方向の何れかの側に位置しかつ第２切り込み部がある側が冊子の綴じ込み側に位置するようにして、付箋シートが冊子に綴じ込まれていることを特徴とする付箋シートが添付された冊子。
【図面の簡単な説明】
【００２２】
【図１】本発明の付箋シートの第１の実施の形態の一部拡大平面図である。
【図２】そのＩＩ―ＩＩ断面拡大図である。
【図３】本発明の付箋シートの付箋部近傍を撓ませた態様を説明するための図である。
【図４】本発明の付箋シートの第２の形態の一部拡大平面図である。
【図５】本発明の付箋シートの第２の形態の他の例を説明するための一部拡大平面図である。
【図６】本発明の付箋シートの第３の形態の一部拡大平面図である。
【図７】本発明の付箋シートの第３の形態の他の例を説明するための一部拡大平面図である。
【図８】複数の付箋部を有する本発明にかかる付箋シートの形態を示す平面図である。
【図９】複数の付箋部を有する本発明にかかる付箋シートの他の形態を示す平面図である。
【発明を実施するための形態】
【００２３】
次いで、本発明の実施の形態を図１〜８を参照しながら以下に詳述する。
〔付箋シートの第１の実施形態〕
本発明の付箋シートＸ１の第１の実施の形態を図１〜３を参照しながら説明する。本発明の付箋シートＸ１は、図１及び図２から理解されるように、付箋基材シート１とこの付箋基材シート１の一方面に形成された粘着剤層２と剥離シート３とがこの順に積層されて一体のシート状とされている。
【００２４】
前記剥離シート３は前記粘着剤層２に対面する側の面が適宜離型処理されるなどしており、前記付箋基材シート１と粘着剤層２とが一体的に剥離シート３から剥離可能となっている。  
【００２５】
他方、この付箋シートＸ１は、前記付箋基材シート１に切り込まれた切り込み線１０で囲まれる付箋部１Ｔが設けられており、この付箋部１Ｔは、一方端側が前記粘着剤層２による粘着部１Ａとされているとともに、他方端側が前記粘着剤層２が設けられていないか又は糊殺し処理されて非粘着部１Ｅとされている。糊殺し処理は特に限定されない。粘着剤層２の粘着力が発現しないようにする既知の種々の処理を採用できる。なお、粘着部は、付箋として冊子に貼付するための実質的な部分を意味し、粘着部の範囲内に一部粘着剤層のない抜き部分が存在する場合にはこの抜き部分をも含められる。
【００２６】
前記切り込み線１０の深さは、付箋基材シート１より剥離シート３側に位置する粘着剤層２にまで至っているのが望ましい。この切り込み線１０によって、当該線に沿って、切り込み線１０で囲まれる付箋部１Ｔが粘着剤層２とともに、付箋基材シート１のその他の部分から切断されるとともに、剥離シート３から剥離されて付箋シートＸ１から別体とされる。
【００２７】
ここで、前記付箋部１Ｔは、非粘着部１Ｅにかかる部分の一部に切り込み線１０が切り込まれていないアンカット部１１が形成されている。すなわち、付箋部１Ｔとその他の部分との境界に、切り込み線１０が形成されていないアンカット部１１が形成されている。
【００２８】
本発明の付箋シートＸ１では、特に非粘着部１Ｅのアンカット部１１により、付箋部１Ｔが非粘着部１Ｅから意図せず、剥離シート３から剥離することが防止される。ここで、本形態においては、アンカット部１１が付箋部１Ｔの非粘着部１Ｅかかる部分の一カ所に形成されているとともに、そのアンカット部１１を境界として付箋部１Ｔの粘着部１Ａまでに至る各切り込み線１０の長さが異ならしめられており、その長さが第１切り込み部１０Ｌ（以下、長切り込み部１０Ｌという。第２の実施の形態においても同様）と、その長さが短い第２切り込み部１０Ｓ（以下、短切り込み部１０Ｓという。第２の実施の形態においても同様）とを有している。
【００２９】
このように長切り込み部１０Ｌと短切り込み部１０Ｓとを形成すると、図３に示すように、付箋シートＸ１を特に付箋部１Ｔにかかる部分を撓ませるなどした際に、付箋部１Ｔの非粘着部１Ｅの長切り込み部側近傍が短切り込み部側近傍よりも剥離シート３から広く浮くようになり、当該浮いた部分を摘みやすく、また引っ張りやすくなる。すなわち、アンカット部１１を境界として粘着部１Ａにかかる部分までに至る各切り込み線の長さが等しい場合と比較して剥離操作がし易くなる。
【００３０】
また、付箋部１Ｔを付箋基材シート１の他の部分から完全に別体とすべく、アンカット部１１を切断する分離操作を行なう際には、その浮いた広い部分を摘んで引っ張るとアンカット部１１に加わる力が剥離方向により強く加わり、アンカット部１１が切断されやすく分離操作の際に、付箋部１Ｔがアンカット部１１を起点として破損するおそれが格段に小さくなる。
【００３１】
また、切り込み線１０は付箋部１Ｔを囲む線として視認できるため、剥離操作を行なう者は、長切り込み部１０Ｌと短切り込み部１０Ｓとの長さの差を瞬時に視認することができ、直感的に摘みやすい長切り込み部１０Ｌの近傍を摘みやすい。このことからも本発明の付箋シートＸ１では、付箋部１Ｔの剥離操作がし易い。
【００３２】
ここで、粘着部１Ａと非粘着部１Ｅの面積の比率は２０：８０〜７０：３０とするのが望ましい。非粘着部１Ｅにかかる部分のアンカット部１１の切断が容易にされ、アンカット部１１を起点とする付箋部の破れが生じ難くなる。
【００３３】
また、アンカット部１１の具体的な長さは、０．１〜１．０ｍｍ、好ましくは０．３〜０．６ｍｍ、アンカット部１１の長さＬ１と長切り込み部との長さＬ２の比が０．７：９９．３〜３：９７とするのが望ましい。非粘着部にかかる部分のアンカット部の切断が容易にされ、アンカット部を起点とする付箋部の破れが生じ難くなる。
【００３４】
さらに、付箋の一般的な大きさ、剥離操作時の摘みやすさ、長切り込み部近傍の浮かせやすさ等を考慮すると、長切り込み部の長さＬ２の具体的な長さは２０〜５０ｍｍ、より好ましくは２４〜４６ｍｍ、短切り込み部の長さＬ３の具体的な長さは５〜２５ｍｍ、より好ましくは６〜２１ｍｍとするのが望ましい。
【００３５】
また、長切り込み部の長さＬ２と短切り込み部の長さＬ３との長さの比率は、９０：１０〜５５：４５、好ましくは７０：３０〜６０：４０とするのが望ましい。上記長切り込み部１０Ｌと短切り込み部１０Ｓを設けた効果が顕著なものとなる。
【００３６】
さらに、本発明においては、より好ましくは、付箋部１Ｔの少なくとも非粘着部１Ｅにかかる部分の平面視形状について、上記長切り込み部１０Ｌにかかる部分に角部がある形状とするのが望ましい。このように角部があると、当該角部を起点として付箋部１Ｔの長切り込み部１０Ｌの近傍が剥離シート３から浮きやすくなり、長切り込み部近傍を摘みやすくなる。
【００３７】
特には、付箋シートＸ１は、切り込み線１０で囲まれる付箋部１Ｔの平面視形状が、角丸四角形又は四角形であり、非粘着部１Ｅにかかる部分に前記角丸四角形又は四角形の二つの角部１３，１３が位置し、かつその二つの角部１３，１３が前記長切り込み部１０Ｌと前記短切り込み部１０Ｓとにそれぞれ位置しているものとするのが望ましい（図１では代表的に付箋部１Ｔの平面視形状が角丸四角形の形態を示す。）。かかる付箋シートＸ１では、角部１３を起点として長切り込み部１０Ｌの近傍を浮かせやすく、剥離操作がしやすいものとなるとともに、非粘着部１Ｅにかかるアンカット部１１が切り込み線１０の直線部分に位置することになるため、付箋部１Ｔのアンカット部１１を起点とする破損も効果的に防止される。さらに、切り込み線１０の形成も容易なものとなる。
【００３８】
なお、本発明にかかる付箋シートＸ１における付箋部１Ｔの平面視形状は、上記形態に限られるわけではなく、図示はしないが、楕円、真円、粘着側端及び／又は非粘着側端が円弧である形状とすることもでき、さらに本発明の効果を妨げない範囲で適宜の形状とすることができる。
【００３９】
他方、本発明の付箋基材シート１の素材としては、特に限定されることなく、この種の付箋シートに用いられる適宜のシートの素材とすることができる。具体例としては、クラフト紙、上質紙、グラシン紙、パーチメント紙、レーヨン紙、コート紙、樹脂製フィルムシート、各種紙とフィルムとの積層シート等を使用することができる。
【００４０】
また、付箋基材シート１の粘着剤層２が位置する面と反対面には、付箋部１Ｔの視認性、装飾性を向上させるべく、また付箋部１Ｔの機能を視覚的に理解されやすくすべく、種々の模様な情報を印刷によって設けることができる。この場合には、例えば、フレキソ印刷、オフセット印刷、グラビア印刷等の既知の印刷技術により模様、情報を印刷することができる。
【００４１】
他方、本発明にかかる粘着剤層２は、既知の粘着剤を用いて形成される。粘着剤の具体例としては、ホットメルト粘着剤、アクリル系粘着剤、天然ゴム系粘着剤、合成ゴム系粘着剤、シリコーン系粘着剤等が挙げられる。なお、これらの粘着剤のなかで最も好ましいのは乾燥性に優れるとともに、乾燥後に紙面の凹凸が発現しがたく印刷適性に優れる付箋シートとすることができるホットメルト粘着剤である。
【００４２】
また、前記粘着剤層２は、前記付箋基材シート１に対して、付箋部１Ｔの形状及びその位置に対応すべく既知の粘着剤をパターン塗工、印刷することで設けることができる。なお、付箋部１Ｔにかからない部分における粘着剤層２の配置態様については本発明では限定されないが、付箋部Ｔ１の非粘着部１Ｅの浮きをより好ましく行なうためには、付箋基材シート１と剥離シート３との積層一体性が良好であるのが望ましいことから、付箋部１Ｔにかからない部分においても適宜粘着剤層２が設けられているのが望ましい。特に、特に非粘着部の外方周縁部分が浮かないようにすべく、少なくとも当該外方周縁部分に粘着剤層２が位置されて、当該外方周縁部分と剥離シート３との一体性が高められているのが望ましい。但し、切り込み線を介して機能する非粘着部の浮きを良好とすべく、当該外方周縁部に粘着剤層を位置させる場合には、切り込み線から外方周縁部の粘着剤層まで０．１ｍｍ以上、好ましくは０．５ｍｍ以上の間隔があるのが望ましい。図示例では、非粘着部１Ｅとその付箋部外方の所定範囲を除く部分の全体に粘着剤層２が形成されており、当該付箋部１Ｔの粘着部１Ａと付箋部１Ｔ以外の粘着剤層２とが一体的となっている。
【００４３】
付箋部１Ｔにかからない部分における粘着剤層２の配置態様については本発明では限定されないが、付箋部Ｔ１の非粘着部１Ｅの浮きをより好ましく行なうためには、非粘着部１Ｅ以外の部分における付箋基材シート１と剥離シート３との積層一体性が良好であるのが望ましいことから、付箋部１Ｔにかからない部分においても適宜粘着剤層２が設けられているのが望ましい。なお、図示例では、非粘着部１Ｅ以外の部分の全体に粘着剤層２が形成されており、当該付箋部１Ｔの粘着剤部１Ａと付箋部１Ｔ以外の粘着剤層とが一体的となっている。
【００４４】
ここで、粘着剤層２は、付箋部１Ｔを付箋として冊子などの対象物に貼付する際の粘着力、剥離強度を適宜の値に調整すべく、粘着剤を平面視で網目状、格子状、点在状に配してもよいし、粘着剤を塗工して層を形成した後に、これに重ねて平面視で網目状、格子状、点在状に糊殺し層を設けたものであってもよい。粘着剤層２の厚さは、特に限定されないが、１０〜５０μｍ、好ましくは２０〜３０μｍ程度である。１０μｍ以下だと粘着力が不足し、付箋の機能を果たさなくなるおそれがあり、５０μｍ以上になると粘着剤層２を形成するのが困難となることがある。
【００４５】
他方、本発明にかかる剥離シート３は、クラフト紙、上質紙、グラシン紙、パーチメント紙、レーヨン紙、コート紙等の剥離基材シートの少なくとも粘着剤層２に対面する一方面が離型処理された剥離紙を用いることができる。離型処理は離型処理剤の塗工・印刷によって行なうことができる（図２において離型処理剤の層は３Ａで示す）。
【００４６】
離型処理剤の具体例としては、シリコーン、長鎖アルキルポリマー、ポリオレフィン、アルキド樹脂、フッ素化合物等の既知の離型処理剤を用いることができる。剥離性の調整のために、離型処理剤は、平面視で網目状、格子状、点在状に配してもよい。離型処理剤によって形成される層の厚さは、特に限定はされないが、通常０．１〜１０μｍである。
【００４７】
また、剥離シート３は、剥離紙のほか素材そのものが粘着剤に対して剥離可能な樹脂製フィルムや樹脂製フィルムと紙との積層シート、紙に樹脂層を設けたラミネート紙などを用いることもできる。
【００４８】
なお、本発明の付箋シートＸ１の層構造の形成に関しては、付箋基材シート１の一方面に粘着剤層２を付箋部１Ｔの粘着部に対応するように部分的に形成し、これに対して上記剥離紙３など予め一方面が前記粘着剤層２に離型性を示す面を有する剥離シート３を重ね合わせて積層一体化して形成することができる。
【００４９】
他方、本発明においては、付箋基材シート１への粘着剤層２の浸透、剥離基材シート１への強接着剤層３Ｂの浸透を防止して、粘着剤、強接着剤、離型処理剤の使用量を低下させてコストを低減させるべく付箋基材シート１の粘着剤層面側、剥離基材シート３Ａの強接着剤層面側、離型処理剤層面側に、適宜目止め剤を塗工・印刷して目止め層（図示はしない）を形成してもよい。目止め剤としては、例えば、コート紙等の塗工紙に使用される無機顔料や有機顔料とこれらを接着するための水溶性高分子やラテックスと必要に応じて加えられる滑剤等の助剤とを含む塗工液、酸化重合タイプのオフセット印刷インキに各種油脂類を加えたもの、熱乾燥タイプの印刷インキに各種油脂類を加えたもの、ＵＶ硬化型インキ等を使用することができる。
【００５０】
他方、本発明の付箋シートＸ１では、粘着剤層２と剥離シート３との剥離強度は、ＪＩＳ  Ｚ  ０２３７の１０にある１８０度引き剥し粘着力の測定において４〜３０Ｎ／２５ｍｍ、好ましくは６〜２０Ｎ／２５ｍｍとするのが望ましい。付箋部の剥離がしやすくなる。なお、上記剥離強度は、付箋部１Ｔにあるアンカット部を考慮しない数値である。
【００５１】
他方、本発明の付箋シートＸ１では、付箋部１Ｔの非粘着部１Ｅにかかる部分のＪＩＳ  Ｐ  ８１４３に基づく剛度（クラーク剛度、縦方向）が１００〜６００ｃｍ3／１００であるのが望ましい。
【００５２】
なお、ここでの付箋部１の非粘着部１Ｅの剛度とは、非粘着部１Ｅを粘着剤層２を形成しない態様とする場合には付箋基材シート１のそのものの剛度、非粘着部１Ｅを粘着剤層２の糊殺し処理により形成する場合には付箋基材シート１の一方面に粘着剤層２と糊殺し層を設けたシートの剛度である。かかる剛度であると、付箋シートＸ１の付箋部形成面側が凸となるように撓ませる操作をすると、付箋部１Ｔの非粘着部１０が剥離シートから剥離して浮きやすくなり、もって非粘着部１Ｅの長切り込み部１０Ｌの近傍が摘みやすくなり、付箋部１Ｔのその他の部分からの切り取り操作がし易くなる。また、付箋部１Ｔの非粘着部１Ｅの剛度が、この範囲外であると、付箋シートＸ１の撓みに追従して非粘着部１Ｅが変形し、非粘着部１Ｅの剥離シートからの浮きが生じないことがある。
【００５３】
なお、図示例の付箋部１Ｔにおいては、粘着部１Ａにかかる切り込み線１０の部分にもアンカット部１２を形成しているが、このアンカット部１２は設けなくてもよい。また、その数を２以上としてもよい。また、粘着部にかかる切り込み線１０については、ミシン目線などにより形成してもよい。但し、スリット線のほうが付箋部１Ｔの分離操作がしやすく望ましい。
【００５４】
〔付箋シートの第２の実施形態〕
次いで、本発明の付箋シートＸ１の第２の実施の形態を図４〜５を参照しながら説明する。この形態は、前記付箋部１Ｔは非粘着部１Ｅにかかる部分の３箇所以上（図示例では３カ所）に、切り込み線１０が切り込まれていないアンカット部１１を有する形態である。この形態においては、それらのアンカット部１１のうち非粘着部１Ｅとの境界から遠い位置にある３つのアンカット部１１の間の切り込み線の長さが異なっていて、前記切り込み線が、その長さの長い第１切り込み部１０Ｌ（第１の実施の形態における長切り込み部１０Ｌに相当）と、それよりも長さの短い第２切り込み部１０Ｓ（第１の実施の形態における短切り込み部１０Ｓに相当）とを有している。
【００５５】
その他の構成・効果・作用については、上記第１の実施の形態と同様であるので説明は省略する。本形態は、粘着部に対して、非粘着部の面積が広い場合に、非粘着部の意図しないめくれや剥離をより効果的に防止することができる。
【００５６】
〔付箋シートの第３の実施形態〕
次いで、本発明の付箋シートＸ１の第２の実施の形態を図６及び図７を参照しながら説明する。この形態は、前記付箋部１Ｔは非粘着部１Ｅにかかる部分の２箇所に、切り込み線１０が切り込まれていないアンカット部１１Ａ，１１Ｂを有しており、各アンカット部１１Ａ，１１Ｂから粘着部１Ａにかかる部分までの距離が異なっている。
【００５７】
そして、非粘着部にかかる切り込み線部１０は、各アンカット部間と各アンカット部から粘着部と非粘着部との境界までの間の３つの切り込み部を有し、各アンカット部間に位置する第１切り込み部１０Ｌ（第１の実施の形態における長切り込み部１０Ｌに相当し、以下の形態では、長切り込み部１０Ｌとして扱う）とされ、各アンカット部から粘着部と非粘着部までの境界までがそれぞれ第２切り込み部１０Ｓ（第１の実施の形態における短切り込み部１０Ｓに相当し、以下の形態では短切り込み部として扱う）及び第３切り込み部１０Ｔとされている。
【００５８】
そして、本形態においては、各切り込み部の関係が、前記第２切り込み部１０Ｓの長さＬ３が第３切り込み部１０Ｋの長さＬ４よりも長く、かつ、第１切り込み部１０Ｌの長さＬ２と第２切り込及び部１０Ｓの長さＬ３とが同じ長さか又は第１切り込み部１０Ｌの長さＬ２が第２切り込み部１０Ｓの長さＬ３よりも長い。なお、図示例においては、好ましい形態であり、第１切り込み部１０Ｌの長さＬ２が第２切り込み部１０Ｓの長さＬ３よりも長くなっている。
【００５９】
他方、本形態においては、上述の四角形、角丸四角形とする形態の場合、図６に示すように、第１の実施の形態と同様に、二つの角部１３，１３が第１切り込み部１０Ｌと第２切り込み部１０Ｓとにそれぞれ位置しているものとすることができる他、図７に示すように、第１切り込み部１０Ｌに二つの角部１３，１３が位置しているものとしてもよいし、さらに図示はしないが、楕円、粘着側端及び／又は非粘着側端が円弧である形状とする場合において、楕円、円弧の頂点を有するようにすることができる。
【００６０】
この第１切り込み部１０Ｌに二つの角部１３，１３等が位置されている態様は、非粘着部の面積が狭く、非粘着部の意図しないめくれや剥離のおそれが小さい場合において、剥離操作を良好なものとすることができる。
【００６１】
その他の構成・効果・作用については、上記第１の実施の形態と同様であるので説明は省略する。本形態は、粘着部に対して、非粘着部の面積が広い場合に、非粘着部の意図しないめくれや剥離をより効果的に防止することができる。
【００６２】
〔複数の付箋部を有する付箋シートの形態〕
他方、本発明の付箋シートＸ１では、複数の付箋部１Ｔ，１Ｔ…を有するものとすることができる。この場合、図８に示されるように、各付箋部１Ｔ，１Ｔ…が離間しているとともに、各付箋部１Ｔ，１Ｔ…の粘着部１Ａ，１Ａ…と非粘着部１Ｅ，１Ｅ…との位置関係と、長切り込み部１０Ｌ，１０Ｌ…と短切り込み部１０Ｓ，１０Ｓ…の位置関係が、平面視で紙面に対してすべて同じ方向となるようにすることができる。
【００６３】
より具体例をもって説明すると、付箋シートＸ１の付箋基材シート１面に模様や情報が印刷されて紙面の上下方向が理解される場合、複数の付箋部１Ｔ，１Ｔ…のすべてについて、それらの非粘着部１Ｅ，１Ｅ…が紙面の上方又は下方に位置し、複数の付箋部１Ｔ，１Ｔ…のすべてについて、短切り込み部１０Ｓ，１０Ｓ…が紙面の左右方向の何れかに位置するような形態とすることができる。
【００６４】
このようにすると、付箋部１Ｔ，１Ｔ…が整然と並んでいることから視認性に優れるとともに、各付箋部１Ｔ，１Ｔ…の剥離操作がすべて同じ方向に引っ張る操作となるため剥離操作を理解するさいに煩雑さがなく、また、一つの付箋部１Ｔの剥離操作をした際に、他の付箋部１Ｔ，１Ｔ…が意図せず剥離するなどの悪影響がない。
【００６５】
また、複数の付箋部１Ｔ，１Ｔ…を有するものとする場合には、上記各付箋部が互いに離間している形態の他、図９に示すように、各付箋部１Ｔ，１Ｔ…の粘着部１Ａ，１Ａ…と非粘着部１Ｅ，１Ｅ…との位置関係が平面視で紙面に対してすべて同じ方向となっているとともに、隣接する付箋部同士で長切り込み部１０Ｌ，１０Ｌの一部、短切り込み部１０Ｓ，１０…の一部が共有されるように配列することができる。この形態では、付箋基材シート１の紙面を有効に利用することができる。
【００６６】
また、ある付箋部１Ｔについて長切り込み部側から剥離操作をする際に、隣接する付箋部では紙面の同方向側に短切り込み部が位置されるため、複数の付箋部１Ｔ，１Ｔ…が一度に剥離シート３から剥離するおそれが小さくなる。
【００６７】
〔付箋シートを添付した冊子の形態〕
他方、本発明にかかる付箋シートＸ１は、一枚のシート状をなすことから、冊子に添付するにあたって、冊子の頁間に挿入させて添付することができる。
【００６８】
特に冊子との一体性を高めるべく、付箋シートＸ１の端縁部を冊子の他の頁と一体に綴じ込むことで、冊子の任意の頁として構成することができる。
【００６９】
ここで、このような任意の頁とする場合においては、上記の図８の形態の付箋シートでは、各付箋部１Ｔ，１Ｔ…の非粘着部１Ｅ，１Ｅ…が冊子の上下方向の何れかの側に位置しかつ短切り込み部１０Ｓ，１０Ｓがある側が冊子の綴じ込み側に位置するようにして、付箋シートＸ１を冊子に綴じ込むようにするのが望ましい（図８において冊子に綴じ込む場合の綴じ込み側は二点鎖線矢印でしめしている）。通常、冊子では綴じ込まれていない自由端側を強く撓ませることができるので、かかる綴じ込み側と短切り込み部１０Ｓとの位置関係とすると付箋部１Ｔの長切り込み部１０Ｌの近傍が浮きやすく、剥離操作がし易くなる。
【００７０】
〔付箋の使用方法〕
ここで、本発明にかかる付箋シートＸ１の特に付箋部１Ｔを付箋として使用する態様について説明しておくと、本発明にかかる付箋シートＸ１では、まず上記説明のとおり付箋部１Ｔを長切り込み部１０Ｌの近傍を剥離シート３から浮かせるようにして剥離操作を行ない、その浮いた部分を摘んで引っ張り、アンカット部１１を切断して、付箋基材シート１の他の部分から付箋部１Ｔを分離別体化して、一つの付箋とする。そして、その付箋の粘着部１Ａを冊子の任意の頁に対して、非粘着部１Ｅが冊子の任意の頁の外方に露出するようにして接着させる。
【００７１】
冊子を読む者は冊子を閉じたのちにも当該任意の頁の外方に露出する非粘着部１Ｅを目印として、当該頁を再度素早く開くことができるようになる。
【符号の説明】
【００７２】
Ｘ１…付箋シート、１…付箋基材シート、１Ｔ…付箋部、１Ａ…粘着部、１Ｅ…非粘着部、２…粘着剤層、３…剥離シート、３Ａ…離型処理剤層、３Ｂ…強接着剤層、３Ｃ…剥離基材シート、１０…切り込み線、１０Ｌ…長切り込み部、１０Ｓ…短切り込み部、１１…アンカット部、１３…角部、Ｌ１…アンカット部の長さ、Ｌ２…第１切り込み部（長切り込み部）の長さ、Ｌ３…第２切り込み部（短切り込み部）の長さ、Ｌ４…第３切り込み部の長さ。
【図１】
0005693917.tif 000002
【図２】
0005693917.tif 000003
【図３】
0005693917.tif 000004
【図４】
0005693917.tif 000005
【図５】
0005693917.tif 000006
【図６】
0005693917.tif 000007
【図７】
0005693917.tif 000008
【図８】
0005693917.tif 000009
【図９】
0005693917.tif 000010